(57)【特許請求の範囲】
【請求項１】
睫毛加熱部が片面に配設された睫毛成形部と棒状のハンドル部とを連結部を介して連結して成る睫毛成形具において、前記連結部の面で、睫毛加熱部を配設した面の側と反対側の面を凹状に湾曲させると共に、前記連結部の凹状部において、睫毛成形部側の凹状部の曲率を小さく、ハンドル部側の凹状部の曲率を大きくしたことを特徴とする睫毛成形具。
【請求項２】
睫毛成形部の先端部が前記連結部の凹状部の面が向く側と反対側に傾斜していることを特徴とする請求項１に記載の睫毛成形具。
【請求項３】
睫毛成形部に配設した睫毛加熱部に弾性を持たせたことを特徴とする請求項１又は２に記載の睫毛成形具。
【発明の詳細な説明】
【０００１】
【発明の属する技術分野】
本発明は、睫毛に癖付けを行うための睫毛成形具に関するものである。
【０００２】
【従来の技術】
従来の睫毛加熱部を有した睫毛成形具は、特開平１０−１９２０３７号公報に記載のように睫毛成形部とハンドル部との間に凹状部が無いため、睫毛成形具を持っている手と反対側の目の上の睫毛を成形しようとする場合、睫毛成形具が鼻に当たり、成形しようとする睫毛に対して睫毛成形部を平行に配することが困難であった。また睫毛成形部がハンドル部に同一軸上に配されているために、睫毛成形時、ハンドル部を睫毛に対して常に平行に保持しておかねばならない等、使い勝手の悪いものであった。
【０００３】
また従来の睫毛成形具にあっては、睫毛加熱部を眼球の曲率に似せて湾曲させているが、睫毛加熱部の曲率が使用者の眼球の曲率よりも大きい場合、眼の両端部の睫毛の根元は加熱できても、眼の中央部は睫毛加熱部が睫毛の根元よりも離れて位置することになるため、眼の中央部の睫毛の根元を加熱することができないという問題があった。
【０００４】
【発明が解決しようとする課題】
本発明は上記の点に鑑みて為されたものであり、その目的とするところは、使用者の使い勝手が良く、両眼の全部位において睫毛を根元から容易に成形することが可能な睫毛成形具を提供することにある。
【０００５】
【課題を解決するための手段】
本発明の請求項１に係る睫毛成形具は睫毛加熱部１が片面に配設された睫毛成形部２と棒状のハンドル部３とを連結部４を介して連結して成る睫毛成形具において、前記連結部４の面で、睫毛加熱部１を配設した面の側と反対側の面を凹状に湾曲させたことを特徴とするものである。
【０００６】
また本発明の請求項１に係る睫毛成形具は、前記連結部４の凹状部８において、睫毛成形部２側の凹状部８ａの曲率を小さく、ハンドル部３側の凹状部８ｂの曲率を大きくしたことを特徴とするものである。
【０００７】
また本発明の請求項２に係る睫毛成形具は、請求項１の構成に加えて、睫毛成形部２の先端部が前記連結部４の凹状部８の面が向く側と反対側に傾斜していることを特徴とするものである。
【０００８】
また本発明の請求項３に係る睫毛成形具は、請求項１又は２の構成に加えて、睫毛成形部２に配設した睫毛加熱部１に弾性を持たせたことを特徴とするものである。
【０００９】
【発明の実施の形態】
本発明の実施の形態の一例を図１乃至図６に基づいて説明する。
【００１０】
本睫毛成形具は図１乃至図４に示すように睫毛成形部２と、ハンドル部３と、これらを連結する連結部４から構成されている。ハンドル部３内には電池が内蔵され、ハンドル部３の外面に設置されたスイッチ５によって睫毛成形部２に配設した睫毛加熱部１と通電可能となっている。
【００１１】
睫毛成形部２は睫毛加熱部保持枠６にて形成され、その上面に発熱体から成る睫毛加熱部１が長手方向に２列に配列保持されている。睫毛加熱部１は睫毛加熱部保持枠６の上面より突出しており、睫毛に効率良く伝熱するためにこの突出量は１ｍｍ内外としてある。また睫毛成形時、睫毛加熱部１を使用者の皮膚及び眼球より一定距離離し位置させるために睫毛加熱部１の側部及び上方を覆うように円弧状の突起部７が睫毛成形部２の長手方向に一定間隔をおいて立設してある。この突起部７の外周部は睫毛加熱部１より１〜３ｍｍ程度離して位置させる。また突起部７は２〜４ｍｍ程度の間隔で配し、これにより睫毛の毛流れを整える。
【００１２】
連結部４には、使用者の鼻が入り込むための凹状部８が形成されている。連結部４の凹状部８のうち最凹部の深さは５〜１０ｍｍ程度である。またこの連結部４の凹状部８においては睫毛成形部２側の凹状部８ａの曲率半径がハンドル部３側の凹状部８ｂの曲率半径よりも大きくなるように形成してある。これにより、使用者が睫毛成形具を持った手と反対側の睫毛を成形する際、図５に示すように凹状部８のハンドル部３側の凹状部８ｂに使用者の鼻を入れることができるため、鼻が邪魔にならずに睫毛成形具を睫毛に容易に接触させることができ、使い勝手が良くなる。さらには睫毛加熱部１を使用者の顔に近接させることができるので、睫毛加熱部１を睫毛の根元に接触させることが可能となり、睫毛を根元より成形することができる。また凹状部８の睫毛成形部２側の凹状部８ａによって凹状部８から睫毛成形部２までをなだらかに傾斜させ、睫毛加熱部１を睫毛に対して左右に移動可能とし、その結果、目頭から目尻までの広い領域の睫毛に対して睫毛加熱部１を近接可能とすることができるので、使い勝手が向上し、且つ使用者の目と鼻の位置や形状等の個人差による影響を受けないようにすることができる。尚、睫毛成形部２側の凹状部８ａの曲率半径はハンドル部３側の凹状部８ｂの曲率半径の２倍以上が良い。
【００１３】
また睫毛成形部２の先端部は前記連結部４の凹状部８側と反対の側に傾斜している。この傾斜角度はハンドル部３の軸線に対して５〜１５°が好ましい。これにより、睫毛加熱部１を睫毛の下側に睫毛と平行に接触させた時、睫毛成形部２を下側に傾斜させてハンドル部３を持つことができ、この状態より睫毛を成形するには睫毛成形部２を眼球と平行に維持しながら睫毛加熱部１を瞼側に回転させなければならないが、使用者は手首を回転させるだけでこの動作が可能となり、睫毛の癖付けが容易且つ滑らかに行うことができ使い勝手が良い。
【００１４】
図６は本発明の実施の形態の他例を示すものであり、睫毛加熱部１１を螺旋状の弾性体で形成し、睫毛加熱部保持枠６にその両端を固設し、さらに睫毛成形部２の、複数の突起部７を配設する側の面を、長手方向中央部が最下部になるように凹状に湾曲させた形状としている。これにより、睫毛加熱部１１を睫毛に当接させた際、睫毛加熱部１１が使用者の眼球の形状に合わせて湾曲するため、使用者の個人差を受けることなく、全ての使用者において睫毛の根元からの成形が可能となる。
【００１５】
【発明の効果】
本発明の請求項１に記載の発明にあっては、睫毛加熱部が片面に配設された睫毛成形部と棒状のハンドル部とを連結部を介して連結して成る睫毛成形具において、前記連結部の面で、睫毛加熱部を配設した面の側と反対側の面を凹状に湾曲させたことで、使用者が睫毛成形具を持った手と反対側の睫毛を成形する際、凹状に湾曲した連結部に使用者の鼻が入り、睫毛加熱部を容易に睫毛に接触させることができ、使い勝手が良くなるとともに、睫毛加熱部を睫毛の根元に接触させることが容易となり、睫毛を根元より成形することが可能となる。
【００１６】
また本発明の請求項１に記載の発明にあっては、前記連結部の凹状部において、ハンドル部側の凹状部の曲率を大きくすることで、使用者が睫毛成形具を持った手と反対側の睫毛を成形する際、該連結部のハンドル部側の凹状部に鼻を入れることができ、睫毛加熱部を睫毛に近接させることを可能とし、さらには該連結部の睫毛成形部側の凹状部の曲率を小さくすることで、該連結部の凹状部から睫毛成形部に至る部分をなだらかな湾曲面とし、睫毛加熱部を睫毛に対して左右に移動可能とし、その結果、目頭から目尻までの広い領域の睫毛に対して睫毛加熱部を近接可能とすることができて使い勝手が向上し、且つ使用者の目と鼻の位置や形状の個人差による影響を受けないようにすることができる。
【００１７】
また本発明の請求項２に記載の発明にあっては、請求項１に記載の発明の効果に加えて、睫毛成形部の先端部が前記連結部の凹状部の面が向く側と反対側に傾斜していることで、睫毛加熱部を睫毛の下側に睫毛と平行に接触させた時、睫毛成形部を下側に傾斜させてハンドル部を持つことができ、この状態より睫毛を成形するには睫毛成形部を眼球と平行に維持しながら睫毛接触面を瞼側に回転させなければならないが、使用者は手首を回転させるだけでこの動作が可能となり、睫毛の癖付けを容易且つ滑らかに行うことができ使い勝手が良い。
【００１８】
また本発明の請求項３に記載の発明にあっては、請求項１又は２に記載の発明の効果に加えて、睫毛成形部に配設した睫毛加熱部に弾性を持たせたことで、睫毛加熱部が使用者の眼球の形状に合わせて湾曲するため、使用者の個人差を受けることなく、全ての使用者において睫毛の根元からの成形が可能となる。
【図面の簡単な説明】
【図１】本発明の実施の形態の一例の側面図である。
【図２】同上の上面図である。
【図３】図２のＡ−Ａ線断面図である。
【図４】図３のＢ−Ｂ線断面図である。
【図５】同上の使用説明図である。
【図６】本発明の実施の形態の他例の睫毛成形部及び連結部の拡大図である。
【符号の説明】
１  睫毛加熱部
２  睫毛成形部
３  ハンドル部
４  連結部
８  凹状部
８ａ  凹状部
８ｂ  凹状部
【図１】
0003861485.tif 000002
【図２】
0003861485.tif 000003
【図３】
0003861485.tif 000004
【図４】
0003861485.tif 000005
【図５】
0003861485.tif 000006
【図６】
0003861485.tif 000007